(57)【要約】【課題】コネクタの斜面へのシール材の塗布時及び斜面にシール材が塗布されたコネクタの筐体への組付け時に生じる隙間に起因する気密漏れを防止することができる電子装置を提供する。【解決手段】コネクタ取付部２ａのｘｙ平面に平行な断面がＬ字形状の部分を有するので、コネクタ取付部２ａの角部のエアが逃げやすくなる。したがって、コネクタ９をシール材３を介してコネクタ取付部２ａに固定させる際にシール材３が不足したときでもコネクタ取付部２ａの角部に隙間が生じなくなり、気密漏れを防止することができる。また、コネクタ９とコネクタ取付部２ａとの間のシール材３が充填される空所のｘｙ平面に平行な断面がカギ型形状を有するので、シール材３が電子装置１の外部にはみ出すのを防止することができる。【選択図】図８
2019160998.tif 000002
【特許請求の範囲】
【請求項１】
回路基板が接続されるとともに側面に溝が形成されたコネクタと、
前記回路基板を収容するとともにシール材を介して前記コネクタが取り付けられるコネクタ取付部を有する筐体と、を備え、
前記コネクタ取付部は、前記溝に対応する取付部側突出部を有し、前記筐体の高さ方向に垂直な断面がＬ字形状を有する部分を含むことを特徴とする電子装置。
【請求項２】
前記コネクタは、側面にコネクタ側突出部を有し、前記コネクタ側突出部、前記溝及び前記取付部側突出部によって形成され、前記コネクタと前記コネクタ取付部との間の前記シール材が充填される空所の前記筐体の高さ方向に垂直な断面が、カギ型形状を有する請求項１に記載の電子装置。
【請求項３】
前記筐体は、前記コネクタ取付部の両端にシール材溜まり部を有する請求項１又は２に記載の電子装置。
【発明の詳細な説明】
【技術分野】
【０００１】
本発明は、電子装置に関する。
【背景技術】
【０００２】
車両の電子制御ユニット（ＥＣＵ）等の電子装置は、回路基板が接続されるコネクタと、回路基板を収容する筐体と、を有する。このような電子装置において、コネクタとの一部は、筐体の外部に露出し、それ以外の部分は、筐体に収容される。
【０００３】
従来、電子装置に防水措置を施すために、突出部をコネクタに形成するとともに溝を筐体のパーツ（例えば、上蓋）に形成し、突出部をシール材を介して溝に固定させるとともに筐体の別のパーツ（例えば、下蓋）をシール材を介して突起部及び溝に固定させている（例えば、特許文献１，２）。
【先行技術文献】
【特許文献】
【０００４】
【特許文献１】特開２０１３−６９４３８号公報
【特許文献２】特開２０１５−２２８２号公報
【発明の概要】
【発明が解決しようとする課題】
【０００５】
従来の電子装置において、コネクタの開口に垂直な溝の断面がＵ字形状を有しているので、シール材塗布用のニードルと溝との距離が離れている場合、溝の隅部に隙間が生じ、シール材の硬化後に気密漏れの原因となるおそれがある。
【０００６】
コネクタの斜面にシール材を塗布する際に溝の隅部の隙間が生じるのを防止するために、シール材塗布用のニードルを溝にできるだけ近接させる必要がある。しかしながら、シール材塗布用のニードルを溝に近接させた場合、シール材塗布用のニードルと溝とが互いに干渉して設備の破損、溝の損傷等が生じるおそれがあるので、シール材塗布用のニードルが溝に近接することができる距離には限界があり、溝の隅部の隙間を完全になくすのは困難である。
【０００７】
また、コネクタの斜面にシール材を塗布する際にシール材塗布用のニードルの射出速度を低下させることによって、溝の隅部に生じる隙間をなくすことができる。しかしながら、シール材塗布用のニードルの射出速度を低下させる場合、コネクタを筐体に取り付けるのに要する時間が長くなり、コネクタを筐体に取り付ける間にシール材の表面が硬化し、シール材の粘着性の低下を招く。
【０００８】
さらに、斜面にシール材が塗布されたコネクタを筐体に組み付ける際にシール材がコネクタの斜面の下部に掻き落とされることによって、コネクタの斜面の上部のシール材が不足して隙間が生じ、シール材の硬化後に気密漏れの原因となるおそれがある。
【０００９】
本発明の目的は、コネクタの斜面へのシール材の塗布時及び斜面にシール材が塗布されたコネクタの筐体への組付け時に生じる隙間に起因する気密漏れを防止することができる電子装置を提供することである。
【課題を解決するための手段】
【００１０】
本発明による電子装置は、回路基板が接続されるとともに側面に溝が形成されたコネクタと、回路基板を収容するとともにシール材を介してコネクタが取り付けられるコネクタ取付部を有する筐体と、を備え、コネクタ取付部は、溝に対応する取付部側突出部を有し、筐体の高さ方向に垂直な断面がＬ字形状を有する部分を含むことを特徴とする。
【００１１】
好適には、コネクタは、側面にコネクタ側突出部を有し、コネクタ側突出部、溝及び取付部側突出部によって形成され、コネクタとコネクタ取付部との間のシール材が充填される空所の筐体の高さ方向に垂直な断面が、カギ型形状を有する。
【００１２】
好適には、筐体は、コネクタ取付部の両端にシール材溜まり部を有する。
【発明の効果】
【００１３】
本発明によれば、コネクタの斜面へのシール材の塗布時及び斜面にシール材が塗布されたコネクタの筐体への組付け時に生じる隙間に起因する気密漏れを防止することができる。
【図面の簡単な説明】
【００１４】
【図１】本発明による電子装置の分解斜視図である。
【図２】図１の上蓋２の斜視図並びにその一部の拡大図及び端面図である。
【図３】図１の上蓋２に図１のコネクタ９及び下蓋８を取り付ける工程を説明するための図である。
【図４】図１の上蓋２に図１のコネクタ９及び下蓋８を取り付ける工程を説明するための図である。
【図５】図１の上蓋２に図１のコネクタ９及び下蓋８を取り付ける工程を説明するための図である。
【図６】本発明による電子装置の斜視図及びその一部の拡大端面図である。
【図７】図６の電子装置１の高さ方向に垂直な断面図である。
【図８】図７の断面図の一部拡大図及びその一部の拡大図である。
【発明を実施するための形態】
【００１５】
発明による電子装置の実施の形態を、図面を参照しながら詳細に説明する。本実施の形態において、発明による電子装置は、ＥＣＵ等の電子装置として実現される。
【００１６】
図１は、本発明による電子装置の分解斜視図である。図１において、電子装置１は、上蓋２と、シール材３及びねじ４ａ，４ｂ，４ｃ，４ｄによって上蓋２に固定される回路基板５と、シール材６及びねじ７ａ，７ｂ，７ｃ，７ｄによって上蓋２に固定される下蓋８と、回路基板５に設けられた素子（図示せず）に接続されるコネクタ９と、を備える。上蓋２は、筐体の一例である。
【００１７】
上蓋２及び下蓋８は、アルミダイカスト等の金属材料によって構成され、シール材３及びシール材６は、シリコーン等によって構成される。上蓋２及び下蓋８は、コネクタ９を挟み込み、コネクタ９の一部が外部に露出するとともにそれ以外の部分が回路基板５と共に上蓋２に収容される。コネクタ９は、側面に形成された溝９ａ及び突出部９ｂを有する。
【００１８】
図１において、ねじ４ａ，４ｂ，４ｃ，４ｄを挿入するために回路基板５に設けられたねじ穴５ａ，５ｂ，５ｃ，５ｄ及びねじ７ａ，７ｂ，７ｃ，７ｄを挿入するために下蓋８に設けられたねじ穴８ａ，８ｂ，８ｃ，８ｄを示す。
【００１９】
図２は、図１の上蓋２の斜視図並びにその一部の拡大図及び端面図である。図２において、上蓋２の部分Ａを拡大した図、図２のＩ−Ｉ端面図及び図２のＩＩ−ＩＩ端面図を示す。上蓋２は、コネクタ９が取り付けられるコネクタ取付部２ａと、溝２ｂと、有する。
【００２０】
コネクタ取付部２ａは、図１のｘ方向に延伸する第１の部分及び第１の部分の各端部に連結されるとともに図１のｘ方向と９０°以上１８０°未満の予め決定された角度を成しながら延伸する二つの第２の部分から構成され、溝９ａに対応する突出部２ａ’を有する。突出部２ａ’は、取付部側突出部の一例である。したがって、コネクタ取付部２ａは、２の上蓋２のＩ−Ｉ端面図及びＩＩ−ＩＩ端面図に示すように、図２にαで示す範囲に亘って断面がＬ字形状を有する。
【００２１】
コネクタ９とコネクタ取付部２ａとの間の空所は、上蓋２とコネクタ９とを接合するためにシール材３が充填される。溝２ｂは、上蓋２と下蓋８とを接合するためにシール材６が充填される。本実施の形態では、上蓋２は、コネクタ取付部２ａの両端にシール材溜まり部２ｃ，２ｄを有する。
【００２２】
図３〜５は、図１の上蓋２に図１のコネクタ９及び下蓋８を取り付ける工程を説明するための図である。図３において、回路基板５を固定するためにねじ４ａ，４ｂ，４ｃ，４ｄをそれぞれ挿入するための上蓋２のねじ穴２ｅ，２ｆ，２ｇ，２ｈと、下蓋８を固定するためにねじ７ａ，７ｂ，７ｃ，７ｄをそれぞれ挿入するための上蓋２のねじ穴２ｉ，２ｊ，２ｋ，２ｌと、を示す。コネクタ９及び下蓋８を上蓋２に取り付けるに際し、先ず、図３に示すように、シール材３を、シール材塗布用のニードル（図示せず）によってコネクタ取付部２ａ及びシール材溜まり部２ｃ，２ｄに塗布する。
【００２３】
その後、図４に示すように、コネクタ９を図４のｚ方向に移動させてコネクタ取付部２ａに取り付ける。その後、ねじ４ａ，４ｂ，４ｃ，４ｄをねじ穴２ｅ，２ｆ，２ｇ，２ｈにそれぞれ挿入する。
【００２４】
その後、図５に示すように、シール材６を、シール材塗布用のニードルによって溝２ｂ及びコネクタ９の溝９ａと突出部９ｂとの間の側面に塗布する。その後、下蓋８を、シール材６を介して上蓋２の上に配置し、ねじ７ａ，７ｂ，７ｃ，７ｄをねじ穴２ｉ，２ｊ，２ｋ，２ｌにそれぞれ挿入する。
【００２５】
図６は、本発明による電子装置の斜視図及びその一部の拡大端面図であり、図７は、図６の電子装置１の高さ方向に垂直な断面図であり、図８は、図７の断面図の一部拡大図及びその一部の拡大図である。図６において、図６のＩＩＩ−ＩＩＩ拡大端面図を示し、図７において、図６の矢図６のＩＶ−ＩＶ断面図を示し、図８において、図７の断面図の部分Ｂを拡大した図及び図８の部分Ｃを拡大した図を示す。また、図８の部分Ｃを拡大した図において、明瞭のためにシール材３を省略し、ドットで表したＬ字形状の断面β及びコネクタ取付部２ａとコネクタ９の間のカギ型の空所γを斜線で示す。図６に示すように、コネクタ取付部２ａの上記第１の部分のｙｚ平面に平行な断面がＬ字形状を有する部分を含み、コネクタ９とコネクタ取付部２ａの上記第１の部分との間のシール材３が充填される空所のｙｚ平面に平行な断面がカギ型形状を有する。また、図８に示すように、コネクタ取付部２ａの上記第２の部分のｘｙ平面に平行な断面（ｚ方向に垂直な断面形状）がＬ字形状を有する。ｚ方向は、筐体の高さ方向の一例である。また、コネクタ９とコネクタ取付部２ａの上記第２の部分との間のシール材３が充填される空所のｘｙ平面に平行な断面がカギ型形状を有する。
【００２６】
本実施の形態によれば、コネクタ取付部２ａのｘｙ平面に平行な断面がＬ字形状の部分を有するので、角部の箇所は、コネクタの開口に垂直な溝の断面がＵ字形状である場合に比べて減少する。すなわち、角部の箇所が２箇所から１箇所に減少する。また、コネクタ取付部２ａのｘｙ平面に平行な断面がＬ字形状の部分を有するので、コネクタの開口に垂直な溝の断面がＵ字形状を有する場合に比べてコネクタ取付部２ａの角部のエアが逃げやすくなる。したがって、コネクタ９をシール材３を介してコネクタ取付部２ａに固定させる際にシール材３が不足したときでもコネクタ取付部２ａの角部に隙間が生じなくなり、気密漏れを防止することができる。
【００２７】
また、コネクタ取付部２ａの角部に生じる隙間が生じにくくするためにシール材塗布用のニードルをシール溝に近接させる必要がないので、コネクタ９を上蓋２に取り付ける工程に悪影響が及ぼされない。
【００２８】
また、コネクタ取付部２ａの角部に生じる隙間が生じにくくためにシール材塗布用のニードルの射出速度を低下させる必要がないので、コネクタ９を上蓋２に取り付けるのに要する時間に悪影響が及ぼされない。
【００２９】
また、コネクタ９とコネクタ取付部２ａとの間のシール材３が充填される空所のｘｙ平面に平行な断面がカギ型形状を有するので、シール材３が電子装置１の外部にはみ出すのを防止することができる。
【００３０】
さらに、上蓋２がコネクタ取付部２ａの両端にシール材溜まり部２ｃ，２ｄを有することによって、コネクタ９をシール材３を介してコネクタ取付部２ａに取り付ける際にシール材３が掻き落とされなくなり、コネクタ取付部２ａの両端のシール材３が不足しなくなる。したがって、コネクタ取付部２ａの両端のシール材３の不足に起因するシール材３とシール材６との間に生じ隙間が生じなくなり、気密漏れを防止することができる。
【符号の説明】
【００３１】
１  電子装置
２  上蓋
２ａ  コネクタ取付部
２ａ’、９ｂ  突出部
２ｂ，９ａ  溝
２ｃ，２ｄ  シール材溜まり部
２ｅ，２ｆ，２ｇ，２ｈ，２ｉ，２ｊ，２ｋ，２ｌ，５ａ，５ｂ，５ｃ，５ｄ，８ａ，８ｂ，８ｃ，８ｄ  ねじ穴
３，６  シール材
４ａ，４ｂ，４ｃ，４ｄ，７ａ，７ｂ，７ｃ，７ｄ  ねじ
５  回路基板
８  下蓋
９  コネクタ
【図１】
2019160998.tif 000003
【図２】
2019160998.tif 000004
【図３】
2019160998.tif 000005
【図４】
2019160998.tif 000006
【図５】
2019160998.tif 000007
【図６】
2019160998.tif 000008
【図７】
2019160998.tif 000009
【図８】
2019160998.tif 000010